(57)【特許請求の範囲】
【請求項１】
デンタルインプラントのフィクスチャーを埋入するための埋入孔を、患者の歯槽骨に穿孔する過程で、パイロットドリルによって所定の方向へ所定の深さまで前もって穿孔された埋入孔を、所定の直径まで段階的に拡大していく際に使用する歯科用ドリルにおいて、
回転軸に沿って先端から基端まで貫通して穿設された中心孔を有するドリル本体と、
前記中心孔に前記先端から挿入されるガイドピンと、
を備え、
前記パイロットドリルによって前もって穿孔された前記埋入孔の底部を第１位置決め基準とし、
前記パイロットドリルを含む先に使用されたドリルによって穿孔された埋入孔の開口部、又は前記ドリル本体自身によって拡大された前記開口部を第２位置決め基準として、
前記第１位置決め基準に当接された前記ガイドピンの先端と、前記第２位置決め基準に接触している前記ドリル本体の切削部とによって、その穿孔方向が位置決めされ、
また、前記ガイドピンの直径は、前記ガイドピンが前記ドリル本体の前記中心孔に挿入された際に、自重では抜けない程度の嵌め合い状態を保持する大きさに設定され、
さらに、前記ガイドピンは、直径が前記中心孔の直径よりも大きくかつ前記パイロットドリルの直径より小さな円錐又は皿状のストッパをその先端に有している、
ことを特徴とする歯科用ドリル。
【請求項２】
前記ガイドピンの長さは、前記中心孔の長さに、前記パイロットドリルによって前もって穿孔された前記埋入孔の深さを加算した長さを下回らない長さに設定されている、
ことを特徴とする請求項１に記載の歯科用ドリル。
【請求項３】
前記ガイドピンは、前記ガイドピンが前記ドリル本体の前記先端からの突出している部分の長さを表示する目盛りをその基端側に有する、
ことを特徴とする請求項１又は２に記載の歯科用ドリル。
【発明の詳細な説明】
【技術分野】
【０００１】
本発明は、インプラントのフィクスチャーを埋入するための埋入孔を患者の歯槽骨に穿孔する際に使用する歯科用ドリルに関する。
【背景技術】
【０００２】
インプラント治療に使用されるデンタルインプラント（以下単に「インプラント」という。）は、歯を喪失した歯槽骨に埋入されるフィクスチャー（インプラント体、例えばチタン製）と、フィクスチャーに接続されて支台となるアバットメントと、アバットメントに装着される上部構造（人工歯冠）とによって構成されている。このインプラントを使用するインプラント治療においては、フィクスチャーを埋入するための埋入孔を歯槽骨の所定の位置に正確に穿孔することが肝要となっている（例えば，特許文献１参照）。
【０００３】
フィクスチャーを埋入するための埋入孔を穿孔するには、直径が最も小さなパイロットドリルから始まって、段階的に直径がより大きな数種類のドリルを使用し、最後にフィクスチャーとほぼ同じ直径のファイナルドリルを使用する。
【０００４】
この過程では、先にあけた埋入孔がより大きな埋入孔をあける際のガイド孔となるため、パイロットドリル（又はパイロットドリルの次に直径の小さなドリル）による埋入孔が所定の方向へ所定の深さまで正確に穿孔されていれば、それを所定の直径までドリルで段階的に拡大していく際には、サージカルガイドを使用しないでも、穿孔方向に誤差（ズレ）を生じることは、穿孔される海綿骨の骨密度がほぼ均一である限り、稀である。
【０００５】
しかし、穿孔される海綿骨の骨密度が均一でない場合には、ドリルが海綿骨から受ける垂直抗力の差により、海綿骨の骨密度の小さな方へドリル先端が誘導されて、穿孔方向に誤差（ズレ）を生じることが多い。
【０００６】
この対策として、
（１）ドリルの直径を大きくしていく段階数を増やす。
（２）すべての直径のドリルにサージカルガイドを使用する。
などの方法が採られてきた。
【先行技術文献】
【特許文献】
【０００７】
【特許文献１】特開２００１−１７００８０号公報
【発明の概要】
【発明が解決しようとする課題】
【０００８】
しかしながら、従来の方法では、
（１）ドリルやサージカルガイドの増加に伴いコストや手術時間が増加する、
（２）海綿骨の骨密度が著しく不均一な場合には有効でない、
などの問題があった。
【０００９】
そこで、本発明は、簡単な構成でありながら
（１）ドリルやサージカルガイドの増加を伴わず、
（２）海綿骨の骨密度が著しく不均一な場合にも有効な、
パイロットドリルにより所定の方向へ所定の深さまで前もって穿孔された埋入孔を、所定の直径まで段階的に拡大していく際に使用する、穿孔方向に誤差（ズレ）の生じにくい歯科用ドリルを提供することを目的とするものである。
【課題を解決するための手段】
【００１０】
請求項１に係る発明は、デンタルインプラントのフィクスチャーを埋入するための埋入孔を、患者の歯槽骨に穿孔する過程で、パイロットドリルによって所定の方向へ所定の深さまで前もって穿孔された埋入孔を、所定の直径まで段階的に拡大していく際に使用する歯科用ドリルにおいて、前記歯科用ドリルは、回転軸に沿って先端から基端まで貫通して穿設された中心孔を有するドリル本体と、前記中心孔に前記先端から挿入されるガイドピンと、を備え、前記パイロットドリルによって前もって穿孔された前記埋入孔の底部を第１位置決め基準とし、前記パイロットドリルを含む先に使用されたドリルによって穿孔された埋入孔の開口部、又は前記ドリル本体自身によって拡大された前記開口部を第２位置決め基準として、前記第１位置決め基準に当接された前記ガイドピンの先端と、前記第２位置決め基準に接触している前記ドリル本体の切削部とによって、その穿孔方向が位置決めされ、また、前記ガイドピンの直径は、前記ガイドピンが前記ドリル本体の前記中心孔に挿入された際に、自重では抜けない程度の嵌め合い状態を保持する大きさに設定され、さらに、前記ガイドピンは、直径が前記中心孔の直径よりも大きくかつ前記パイロットドリルの直径より小さな円錐又は皿状のストッパをその先端に有している、ことを特徴とする。
【００１１】
請求項２に係る発明は、請求項１に係る歯科用ドリルにおいて、前記ガイドピンの長さは、前記中心孔の長さに、前記パイロットドリルによって前もって穿孔された前記埋入孔の深さを加算した長さを下回らない長さに設定されている、ことを特徴とする。
【００１４】
請求項５に係る発明は、請求項１ないし４のいずれか１項に係る歯科用ドリルにおいて、前記ガイドピンは、前記ガイドピンが前記ドリル本体の前記先端から突出している部分の長さを表示する目盛りをその基端側に有する、ことを特徴とする。
【発明の効果】
【００１５】
請求項１の発明によれば、ガイドピンがその中心孔に挿入されたドリル本体は、第１位置決め基準に当接されたガイドピンの先端部と、第２位置決め基準に当接された（接触した）ドリル本体の切削部（先端）とによって位置決めされるので、穿孔開始時において穿孔（進行）方向に誤差（ズレ）を生じにくい。さらに、このガイドピンが挿入されたドリル本体は、穿孔（進行）過程においても、ドリル本体自身によって拡大された硬い皮質骨の開口部（内周壁）を第２位置決め基準として、第１位置決め基準に当接されたガイドピンの先端部とともに、第２位置決め基準に接触しているドリル本体の切削部（外周面）とによって位置決めされつづけるので、たとえ海綿骨の骨密度が著しく不均一であってもドリル本体の先端が方向ズレすることなく、患者の口腔内で、パイロットドリルによって前もって穿孔された埋入孔を拡大して、所定の埋入位置に正確にフィクスチャーの埋入孔を穿孔することができる。
【００１６】
すなわち、簡単な構成でありながら、
（１）ドリルやサージカルガイドの増加を伴わず、
（２）海綿骨の骨密度が著しく不均一な場合にも有効な、
パイロットドリルにより所定の方向へ所定の深さまで前もって穿孔された埋入孔を、所定の直径まで段階的に拡大していく際に使用する、穿孔方向に誤差（ズレ）の生じにくい歯科用ドリルを提供することができる。
また、ドリル本体の向きにかかわらず、ガイドピンがドリル本体の中心孔から抜け落ちることを防止することができる。
さらに、ドリルで埋入孔を穿孔する際に、ストッパがドリル本体の先端に当接することで、ドリルが所定の深さ（パイロットドリルであけた埋入孔の深さ）よりも深く穿孔するのを防止することができる。
【００１７】
請求項２の発明によれば、口腔内におけるガイドピンを含むドリル全体の大きさを最小限にして、患者が術中に大きな口をあけつづける負担を軽減することができる。
【００２０】
請求項５の発明によれば、ガイドピンがドリル本体の先端から突出している部分の長さを、ガイドピンの基端側の目盛りで読み取ることができる。
【図面の簡単な説明】
【００２１】
【図１】実施形態１のドリルＤＲを、その回転軸Ｃを含む平面で切断した断面図である。
【図２】（ａ），（ｂ）は、ドリルＤＲの使用状態を説明する図である。
【図３】インプラント７０を説明する縦断面図である。
【発明を実施するための形態】
【００２２】
以下、本発明の実施形態を図面に基づき詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００２３】
図１，図２，図３を参照して、本発明が適用された実施形態１に係る歯科用ドリル（以下単に「ドリル」という。）ＤＲについて説明する。ここで、図１は、ドリルＤＲを、その回転軸Ｃを含む平面で切断した断面図である。また、図２は、ドリルＤＲの使用状態を説明する図であり、（ａ）は穿孔開始時、（ｂ）は穿孔過程の図である。図３は、インプラント７０を説明する縦断面図である。
Ｉ  概要
【００２４】
まず、図３を参照して、インプラント７０について説明する。歯（不図示）が抜けた後には、柔らかい海綿骨６０と硬い皮質骨６１とからなる歯槽骨６２と、これを覆う粘膜（歯肉）６３とが残る。インプラント７０は、歯槽骨６２に埋入孔を穿孔して埋入したフィクスチャー７１と、フィクスチャー７１に接続されて支台となるアバットメント７２と、アバットメント７２に装着される上部構造７３とによって構成されている。
【００２５】
上述のフィクスチャー７１を埋入するための埋入孔を歯槽骨６２に穿孔する際には、直径が最も小さなパイロットドリル（歯槽骨６２にはじめに穿孔するドリル）から始まって、段階的に直径がより大きな数種類のドリルを使用し、最後にフィクスチャー７１とほぼ同じ直径のファイナルドリルを使用する。本発明は、パイロットドリルによって所定の方向へ所定の深さまで前もって穿孔された埋入孔を、所定の直径まで段階的に拡大していく際に使用する、これら、パイロットドリル以外のドリルに適用される。
II  構造
【００２６】
次に、図１，図２を参照して、ドリルＤＲの構造について説明する。なお、以下の説明では、パイロットドリル（不図示）によって歯槽骨６２に穿孔された埋入孔をＨ０とし、埋入孔Ｈ０の開口部をｈ０とする。また、パイロットドリルより１段階直径の大きなドリル１（不図示）によって穿孔された埋入孔及び開口部をそれぞれＨ１、ｈ１とし、同様にパイロットドリルより２段階直径の大きなドリル２によって穿孔された埋入孔及び開口部をそれぞれＨ２、ｈ２とし、以下同様にパイロットドリルよりＮ段階直径の大きなドリルＮによって穿孔された埋入孔及び開口部をそれぞれＨＮ、ｈＮとする（ただしＮ＝１,２,３，……,Ｆ）。なお、ドリルＦはファイナルドリルである。このように定義すると、本実施形態に係るドリルＤＲは、ドリル１〜Ｆに対応することになる。また、埋入孔Ｈ０の底部をＨＣとし、その深さをＤ（皮質骨６１の表面６１ａから底部ＨＣまでの距離）とする。
【００２７】
図１に示すドリルＤＲは、フィクスチャー埋入孔穿孔用のドリルであり、ドリル本体４１と、このドリル本体４１に対して着脱可能なガイドピン５１とを備えて構成されている。
【００２８】
ｉ）ドリル本体４１は、その回転軸（回転中心）Ｃを長軸として形成されており、その先端４１ａ側（図１中における下端側）に、螺旋状の刃が形成された切削部４１ｃを有し、かつその基端４１ｂ側（図１中における上端側）に、シャンク部４１ｄを有している。また、ドリル本体４１は、その回転軸Ｃに沿って、ガイドピン５１が挿入される、直径ｄ１が０．８ｍｍ程度の中心孔４１ｅが、先端４１ａから基端４１ｂまで貫通して穿設されている。したがって、中心孔４１ｅの長さＬＤは、ドリル本体４１の先端４１ａから基端４１ｂまでの長さと同じになる。
【００２９】
ドリル本体４１は、基端４１ｂ側のシャンク部４１ｄをハンドピース４０（図２の二点鎖線参照）のコントラヘッド４０ａ（図２の二点鎖線参照）に挿入した後、ロック機構（不図示）によってロックすることにより、ハンドピース４０に装着される。
【００３０】
ii）ガイドピン５１は、金属製又はセラミック製であり、その長さＬＰ（先端５１ａから基端５１ｂまでの距離）は、ドリル本体４１の中心孔４１ｅの長さＬＤに所定の深さＤ（パイロットドリルであけた埋入孔Ｈ０の深さＤ）を加算した長さを下回らない長さに設定されている。これにより、ドリル本体４１の先端４１ａを埋入孔ＨＮの開口部ｈ０（ｈＮ）に当接させた状態で、ガイドピン５１を、中心孔４１ｅに沿ってスライドさせて埋入孔Ｈ０（ＨＮ）内へ挿入して、後述するストッパ５１ｃを埋入孔Ｈ０の底部ＨＣに当接させた際には、ドリル本体４１の基端４１ｂから突出していたガイドピン５１が中心孔４１ｅ内にほぼ押し込まれるので、口腔内におけるガイドピン５１を含むドリル全体の大きさが最小限となり、患者が術中に大きな口をあけつづける負担を軽減している。
【００３１】
なお、図２（ａ）では、ドリル本体４１及びガイドピン５１を、説明の便宜上、拡大して模式的に示しているため、回転軸Ｃに沿った方向の、ドリル本体４１の先端４１ａの位置と開口部ｈ０の位置とが異なるように図示しているが、実際には、これらの位置にずれは、ドリル本体４１の中心孔４１ｅの長さＬＤやガイドピン５１の長さＬＰに対して、無視できる程度のものである。
【００３２】
また、ガイドピン５１の直径ｄ２は、ガイドピン５１がその自重により中心孔４１ｅから抜け落ちることなく、かつ、ドリル本体４１に対して、ガイドピン５１を積極的に移動させる場合には、比較的容易に移動できる程度の嵌め合い状態を保持する大きさに設定されている。これにより、ハンドピース４０にドリル本体４１を装着し、さらに、そのドリル本体４１の中心孔４１ｅにガイドピン５１を挿入した状態において、ハンドピース４０の向きにかかわらず、ガイドピン５１がドリル本体４１の中心孔４１ｅから抜け落ちることを防止している。
【００３３】
また、ガイドピン５１は、その先端５１ａ（先端部）に、円錐又は皿状のストッパ５１ｃを有している。このストッパ５１ｃの直径ｄ３は、ドリル本体４１の中心孔４１ｅの直径ｄ１よりも大きく、かつパイロットドリルの直径ｄ４（埋入孔Ｈ０の直径と略同じ）より僅かに小さな大きさに設定されている。これにより、後述するように、埋入孔の穿孔時に、ガイドピン５１がドリル本体４１をガイドする際に、ガイドピン５１の先端５１ａのストッパ５１ｃが不要に移動することを有効に防止できる。このストッパ５１ｃにより、ドリルＤＲで埋入孔ＨＮを穿孔する際に、ストッパ５１ｃがドリル本体４１の先端４１ａに当接することで、ドリルＤＲが所定の深さＤよりも深く穿孔するのを防止している。
【００３４】
さらに、ガイドピン５１の基端５１ｂ側には、ガイドピン５１の先端５１ａ側の突出長さＬ１（図２（ｂ）参照）を表示するための目盛り５１ｄが設けられている。ここで、突出長さＬ１とは、ドリル本体４１の先端４１ａからガイドピン５１が突出している部分の長さ（先端４１ａからストッパ５１ｃの先端までの距離）を示すものである。この目盛り５１ｄを読み取ることにより、突出長さＬ１を把握することができる。ここで、例えば、図２（ａ），（ｂ）に示すように、ガイドピン５１の長さＬＰを、ドリル本体４１の中心孔４１ｅの長さ（＝ドリル本体４１の長さ）と埋入孔Ｈ０の深さＤとの和と同じになるように設定しておけば、図２（ｂ）に示すように、ガイドピン５１の基端５１ｂ側の突出長さＬ２と、ドリル本体４１による埋入孔Ｈ１の穿孔深さＬ３とが等しくなる。したがって、穿孔深さＬ３が最大となったとき、つまり、ガイドピン５１の先端５１ａ側の突出長さＬ１が０となったときに、ガイドピン５１の基端５１ｂ側の突出長さＬ２が最大となる。このときの目盛り５１ｄの読みが０となるように、すなわち、目盛り５１ｄの０を、突出長さＬ２が最大となったときに、ドリル本体４１の基端４１ｂと一致するように設定しいておく。
【００３５】
III 手順
つづいて、上述の本実施形態に係るドリルＤＲの使用手順について説明する。
（１）本実施形態に係るドリルＤＲの使用に先立ち、パイロットドリル（不図示）を使用して、患者の口腔内の歯槽骨６２（海面骨６０及び皮質骨６１）に所定の埋入方向へ、所定の深さＤまでフィクスチャー７１の埋入孔Ｈ０を穿孔する。
（２）次に、ハンドピース４０のコントラヘッド４０ａにパイロットドリルより１段階直径の大きなドリル１（ドリルＤＲ）のドリル本体４１を装着し、ガイドピン５１を、ドリル本体４１の先端４１ａから中心孔４１ｅに挿入して、ストッパ５１ｃがドリル本体４１の先端４１ａに当接するまでガイドピン５１を押し込む。
（３）つづいて、ハンドピース４０を操作して、ガイドピン５１が挿入されたドリル本体４１の先端４１ａを埋入孔Ｈ０の開口部ｈ０に当接させる。この状態を保ったまま、ガイドピン５１の基端５１ｂを指で押してガイドピン５１を、中心孔４１ｅに沿ってスライドさせて埋入孔Ｈ０内へ挿入していき、ストッパ５１ｃを埋入孔Ｈ０の底部ＨＣに当接させる。ここでドリル本体４１の基端４１ｂから突出していたガイドピン５１が中心孔４１ｅ内にほぼ押し込まれていることを確認する。
このとき、ストッパ５１ｃが当接している埋入孔Ｈ０の底部ＨＣが第１位置決め基準Ａとなり、ドリル本体４１の先端４１ａが当接している埋入孔Ｈ０の開口部ｈ０が穿孔開始時における第２位置決め基準Ｂとなる（図２（ａ）参照）。
以上でドリル１による埋入孔Ｈ１の穿孔準備が完了する。
（４）ひきつづいて、ドリル本体４１を回転させ、埋入孔Ｈ１の穿孔を開始する。
まず、ガイドピン５１が挿入されたドリル本体４１は、第１位置決め基準Ａに当接されたストッパ５１ｃと、第２位置決め基準Ｂに当接されたドリル本体４１の先端４１ａとによって位置決めされた状態で、上述のパイロットドリルによって穿孔された埋入孔Ｈ０の開口部ｈ０を拡大して、１段階直径の大きな埋入孔Ｈ１の開口部ｈ１を皮質骨６１に形成する。
一般に、皮質骨６１は海綿骨６０に比べて充分に硬いので、皮質骨６１が著しく薄くない限り、その後の穿孔過程においては、皮質骨６１に形成されたこの開口部ｈ１の内周壁が、ドリル本体４１の切削部４１ｃの外周面をガイドする。つまり、ドリル本体４１の切削部４１ｃの外周面と接触している開口部ｈ１の内周壁が、その後の埋入孔Ｈ１の穿孔過程における第２位置決め基準Ｂとなる。
（５）ドリル本体４１による埋入孔Ｈ１の穿孔が進むにつれて、徐々に埋入孔Ｈ１の深さが深くなるが、この海綿骨６０内を穿孔していく過程においても、ガイドピン５１が挿入されたドリル本体４１は、その間中、第１位置決め基準Ａに当接されたストッパ５１ｃと、第２位置決め基準Ｂに接触している切削部４１ｃの外周面とによって位置決めされつづけ、その穿孔（進行）方向がこの２点を結ぶ方向のみへ限定されつづけるので、たとえ海綿骨６０の骨密度が著しく不均一な場合でも、穿孔（進行）方向が偏倚されることなく、ガイドピン５１に沿って底部ＨＣに向けてまっすぐに穿孔（進行）する。つまり、パイロットドリルであけた埋入孔Ｈ０と同一の方向に正確に埋入孔Ｈ１を穿孔していく（図２（ｂ）参照）。
これは、ガイドピン５１が挿入されたドリル本体４１を１つの装置としてとらえると、この装置の可動範囲は長軸方向（回転軸Ｃに沿った方向）への伸縮のみに限られるため、ガイドピン５１先端のストッパ５１ｃとドリル本体４１の切削部４１ｃの２箇所をそれぞれ遊びのない保持孔で位置決めすると、この装置の可動範囲は、これら２箇所を結ぶ直線方向への伸縮のみに限定されるからである。
（６）こうしてドリル１が穿孔してきた埋入孔Ｈ１の深さが所定の深さＤに達すると、ドリル本体４１の先端４１ａがガイドピン５１のストッパ５１ｃに当接して、ドリル本体４１のそれ以上の穿孔（進行）が防止される。ここで目盛り５１ｄがほぼ０となっていることを確認する。
（７）ハンドピース４０を操作して、ドリル本体４１の切削部４１ｃを埋入孔Ｈ１から抜き出し、ドリル本体４１の回転を停止させる。これにより、ドリル１による埋入孔Ｈ１の穿孔が完了する。
（８）ひきつづいて上述のドリル１よりも直径が１段階ずつ大きなドリル２，３，……，Ｆと順次交換して同様の穿孔を繰り返して埋入孔の直径を段階的に拡大し、最後にファイナルドリル（ドリルＦ）を使用して所定の直径の埋入孔を穿孔して埋入孔の穿孔が完了する。
IV  利点
【００３６】
本実施形態に係るドリルＤＲによれば、簡単な構成でありながら、
（１）ドリルやサージカルガイドの増加を伴わず
（２）海綿骨６０の骨密度が著しく不均一な場合にも、
パイロットドリルにより所定の方向へ所定の深さＤまで前もって穿孔された埋入孔Ｈ０を、穿孔方向に誤差（ズレ）を生じることなく、所定の直径まで段階的に拡大して、所定の位置に埋入孔を穿孔することができる。
なお、ガイドピン５１のストッパ５１ｃがドリルＤＲの振動により埋入孔Ｈ０の底部ＨＣから浮き上がる場合には、ガイドピン５１の基端５１ｂを指で軽く押さえておくとよい。
【００３７】
また、上述ではパイロットドリルより１段階直径の大きなドリル１から本発明を適用したドリルＤＲの使用を開始する場合について述べたが、これに代えて、ドリル１にサージカルガイドを使用して埋入孔Ｈ１を穿孔し、パイロットドリルより２段階直径の大きなドリル２から本発明を適用したドリルＤＲの使用を開始してもよい。
【００３８】
また、長さを半分にしたガイドピン５１を２本用意し、ドリル本体４１の先端４１ａと基端４１ｂからそれぞれ挿入して両者の基端５１ｂを中心孔４１ｅ内で当接させて使用してもよい。これにより、直径が異なるガイドピン５１を使用したり、皮質骨６１が著しく薄い場合などにサージカルガイドを併用することが可能になる。
【符号の説明】
【００３９】
４１  ドリル本体
４１ａ  先端
４１ｂ  基端
４１ｃ切削部
４１ｅ  中心孔
５１  ガイドピン
５１ａガイドピンの先端
５１ｂガイドピンの基端
５１ｃ  ストッパ
５１ｄ  目盛り
６０  海綿骨
６１  皮質骨
６２  歯槽骨
７０  インプラント
７１  フィクスチャー
Ａ  第１位置決め基準
Ｂ  第２位置決め基準
Ｃ  回転軸
Ｄ  埋入孔の所定の深さ（埋入孔Ｈ０の深さ）
ＤＲ  ドリル（歯科用ドリル）
ｄ１  中心孔の直径
ｄ２  ガイドピンの直径
ｄ３  ガイドピンのストッパの直径
ｄ４  パイロットドリルの直径
Ｈ０  パイロットドリルで穿孔された埋入孔
Ｈ１  ドリル１で穿孔された埋入孔
ＨＣ  埋入孔Ｈ０の底部
ｈ０  埋入孔Ｈ０の開口部
ｈ１  埋入孔Ｈ１の開口部
ｈＮ  埋入孔ＨＮの開口部
Ｌ１  突出長さ（ガイドピンのうちの、ドリル本体の先端からの突出している部分の長さ）
ＬＤ  中心孔の長さ
ＬＰ  ガイドピンの長さ
【図１】
0005649897.tif 000002
【図２】
0005649897.tif 000003
【図３】
0005649897.tif 000004